(57)【特許請求の範囲】
【請求項１】
木造建築物における矩形枠組み構造部の入り隅部にコーナー用取付金物を取り付け、この取付金物に木製筋交い材の端部を取り付ける木造建築物における木製筋交い材取付構造において、一端にボルトをねじ込むためのねじ孔を備えると共に他端が前記取付金物に取り付けられた接続金具と、木製筋交い材の側面に取り付けられ且つ木製筋交い材の長さ方向と平行にボルトを挿通し得るボルト挿通孔を備えた取付部材とが設けられ、この取付部材のボルト挿通孔に挿通されたボルトが木製筋交い材の長さ方向と平行な向きで前記接続金具のねじ孔にねじ込まれることにより、前記取付金物に隣接する状態の木製筋交い材の端部の出隅部が前記矩形枠組み構造部の入り隅部に押し付けられるように構成された、木造建築物における木製筋交い材取付構造。
【請求項２】
前記接続金具は前記取付金物にボルトナットにより取り付けられ、当該ボルトナットの取付金物から一側方に突出するナット又はボルト頭部が遊嵌する凹部が前記木製筋交い材の端部側面に形成されている、請求項１に記載の木造建築物における木製筋交い材取付構造。
【請求項３】
前記取付部材は、前記ボルト挿通孔を形成するＵ字形板部と、このＵ字形板部の両端から互いに反対方向に折曲連設され且つそれぞれ取付用孔を備えた左右一対の取付板部とから構成された、請求項１又は２に記載の木造建築物における木製筋交い材取付構造。
【発明の詳細な説明】
【技術分野】
【０００１】
本発明は、木造建築物の壁などに採用されている矩形枠組み構造部の直角入り隅部に木製筋交い材の端部を取り付ける木製筋交い材取付構造に関するものである。
【背景技術】
【０００２】
木造建築物では、土台と梁などから成る上下２本の水平部材と両水平部材間に垂直に配設された２本の柱材とから形成される矩形枠組み構造部の内側に対角線方向に木製の筋交いを架設して補強することが行われている。このような構成を採用する場合、特許文献１の図５や図６に示されるように、木造建築物における矩形枠組み構造部の直角入り隅部に、この入り隅部の直角両側面に取り付けられるＬ字形板部と略三角形の側板部とから成るコーナー用取付金物を取り付け、この取付金物に木製筋交い材の端部を取り付けることが知られている。
【特許文献１】特開平８−３３８０７０号公報
【発明の開示】
【発明が解決しようとする課題】
【０００３】
しかし、特許文献１などに開示される従来の木製筋交い材取付構造では、前記取付金物側板部とこの側板部の外側に隣接させた木製筋交い材の端部とを、この木製筋交い材の長さ方向に対して直交する向きで両者を貫通するボルトとナットにより互いに締結する構成であるため、木製筋交い材のボルト貫通位置が当該木製筋交い材の長さ方向の端から非常に近い位置にあり、前記ボルトナットを介して木製筋交い材に長さ方向の引張力が作用する状況になったとき、木製筋交い材のボルト貫通孔から端面にわたって簡単に破断する（裂ける）恐れがあり、筋交いとしての機能が無くなってしまう恐れがあった。
【課題を解決するための手段】
【０００４】
本発明は上記のような従来の問題点を解消し得る木製筋交い材取付構造を提供することを目的とするものであって、その手段を後述する実施形態の参照符号を括弧付きで付して示すと、木造建築物における矩形枠組み構造部(1)の入り隅部(9)にコーナー用取付金物(11)を取り付け、この取付金物(11)に木製筋交い材(6)の端部を取り付ける木造建築物における木製筋交い材取付構造において、一端にボルト(13)をねじ込むためのねじ孔(ナット20)を備えると共に他端が前記取付金物(11)に取り付けられた接続金具(12)と、木製筋交い材(6)の側面に取り付けられ且つ木製筋交い材(6)の長さ方向と平行にボルト(13)を挿通し得るボルト挿通孔(23)を備えた取付部材(14)とが設けられ、この取付部材(14)のボルト挿通孔(23)に挿通されたボルト(13)が木製筋交い材(6)の長さ方向と平行な向きで前記接続金具(12)のねじ孔（ナット20)にねじ込まれることにより、前記取付金物(11)に隣接する状態の木製筋交い材(6)の端部の出隅部(6d)が前記矩形枠組み構造部(1)の入り隅部(9)に押し付けられる構成となっている。
【０００５】
上記構成の本発明を実施するについて、具体的には請求項２に記載のように、前記接続金具(12)は前記取付金物(11)にボルトナット(18,19)により取り付け、当該ボルトナット(18,19)の取付金物(11)から突出するナット(19)又はボルト頭部が遊嵌する凹部(6c)を前記木製筋交い材(6)の端部側面(6a)に形成しておくことができる。
【０００６】
又、請求項３に記載のように、前記取付部材(14)は、前記ボルト挿通孔(23)を形成するＵ字形板部(24)と、このＵ字形板部(24)の両端から互いに反対方向に折曲連設され且つそれぞれ取付用孔(25)を備えた左右一対の取付板部(26a,26b)とから構成することができる。
【発明の効果】
【０００７】
上記構成の本発明に係る木造建築物における木製筋交い材取付構造によれば、従来、木製筋交い材を直接結合させていたコーナー用取付金物と当該木製筋交い材との間には、この木製筋交い材の長さ方向と平行なボルトと接続金具、及び当該ボルトを木製筋交い材に保持させるための取付部材が介在する構成であって、木製筋交い材とコーナー用取付金物との結合手段（接続金具、ボルト、及び取付部材）の木製筋交い材側の取付位置、即ち、前記取付部材の取付位置を当該木製筋交い材の端から木製筋交い材の長さ方向に十分に離すことができる。従って、この木製筋交い材に前記結合手段を介して引張力が作用する状況になったとき、この木製筋交い材と前記取付部材との結合箇所からこの木製筋交い材の端面に向かって破断する（裂ける）のを十分に抑えることができ、木製の筋交い材を使用していながら、矩形枠組み構造部に働く外力で当該木製筋交い材に引張力が作用する現象に対する安全性を高めることができる。
【０００８】
しかも本発明の構成によれば、木製筋交い材の端部から離れた側面と取付金物との間に単に帯板などの中間接続部材を介在させ、当該中間接続部材と木製筋交い材とを、この両者を横断貫通するボルトとナットとで結合する構成ではなく、木製筋交い材の長さ方向と平行なボルトのねじ込みによりこの木製筋交い材を長さ方向に付勢して、その端部の出隅部を矩形枠組み構造部の入り隅部に押し込むようにして木製筋交い材を取り付けることができるので、当該木製筋交い材の端部の出隅部を矩形枠組み構造部の入り隅部に確実に面接触させた状態でがたつきなく強固に取り付けることができ、この木製筋交い材に長さ方向の圧縮力が作用する状況においては、当該圧縮力を確実に木製筋交い材で受け止めさせ、木製筋交い材と取付金物との結合手段（接続金具、ボルト、及び取付部材）などに対する影響を実質的に無くすことができる。
【０００９】
尚、請求項２に記載の構成によれば、接続金具とコーナー用取付金物とを、この両者を横断方向に貫通するボルトとナットとで簡単容易に結合することができ、しかもコーナー用取付金物と木製筋交い材とを、この両者の側面が互いに当接する状態で隣接させることができ、木製筋交い材を安定良く取り付けることができる。
【００１０】
又、請求項３に記載の構成によれば、木製筋交い材の側面にラグスクリューなどで簡単に取り付けることができる取付部材を１枚の鉄板からプレス加工で容易且つ安価に構成することができる。
【発明を実施するための最良の形態】
【００１１】
以下に本発明の具体的実施例を添付図に基づいて説明すると、図１Ａにおいて、１は木造建築物の壁を構成する矩形枠組み構造部であって、水平の木製土台２、水平の木製梁材３、これら両者間に配設された２本の木製柱材４，５とから構成されている。６は矩形枠組み構造部１の内側に対角線方向に架設された木製の筋交い材であって、図２に示すように土台２や梁材３の厚さの半分以下の厚さの板材から成る。７は２本の木製柱材４，５の中間位置で木製土台と木製梁材３との間に架設された木製の間柱材であって、土台２や梁材３の厚さと同一の巾の板材から成り、筋交い材６と交叉する箇所には、当該筋交い材６が嵌合する切欠き８が形成されている。
【００１２】
本発明の筋交い材取付構造は、上記のような矩形枠組み構造部１の対角方向２箇所の直角入り隅部９，１０と木製筋交い材６の端部との結合箇所Ｐ１，Ｐ２に適用されるが、両結合箇所Ｐ１，Ｐ２の構成は同一であるから、以下、一方の結合箇所Ｐ１を示す添付図に基づいて本発明の筋交い材取付構造を説明する。図１Ｂ及び図２において、１１はコーナー用取付金物、１２は接続金具、１３はボルト、１４は取付部材である。コーナー用取付金物１１は、先に例示した特許文献１などにより従来周知のものであって、図１Ｂ〜図４に示すように、Ｌ字形板部１５とその両側辺に連設された左右一対の略三角形の側板部１６ａ，１６ｂとで構成されたもので、１枚の鉄板の深絞り加工により一体に形成されている。而してＬ字形板部１５の直角各面には取付孔が設けられ、矩形枠組み構造部１の直角入り隅部９の直角各面（土台２の上面と柱材４の側面）にラグスクリュー１７により固着される。
【００１３】
又、コーナー用取付金物１１の左右両側板部１６ａ，１６ｂには、略中央位置にボルト１８が左右横断方向に挿通できるようにボルト挿通孔２３が設けられており、このボルト１８とナット１９とにより接続金具１２の一端取付部１２ａがコーナー用取付金物１１の左右両側板部１６ａ，１６ｂ間に取り付けられている。このとき接続金具１２を一方の側板部１６ａに寄せて位置決めするために、ボルト１８にはコーナー用取付金物１１の側板部１６ｂと接続金具１２との間に筒状スペーサー２０が遊嵌されている。
【００１４】
接続金具１２は、帯状鉄板をＵ字形に曲げ加工すると共にそのＵターン部内側にナット２１を抱持固着して、この接続金具１２の長さ方向に貫通するねじ孔を構成している。又、両側板部２２ａ，２２ｂの遊端部が、前記ボルト１８を横断方向に挿通させる貫通孔を備えた取付部１２ａを構成している。
【００１５】
取付部材１４は、図５及び図６に示すように、ボルト１３を挿通し得るボルト挿通孔２３を形成するＵ字形板部２４と、このＵ字形板部２４の両端から互いに反対方向に折曲連設され且つそれぞれ取付用孔２５を備えた左右一対の取付板部２６ａ，２６ｂとから構成されたもので、１枚の鉄板の曲げ加工により一体成形することができるものである。
【００１６】
先に説明したように、矩形枠組み構造部１の入り隅部９にラグスクリュー１７により固着されるコーナー用取付金物１１には、ボルト１８、ナット１９、及び筒状スペーサー２０により接続金具１２が取り付けられている。このコーナー用取付金物１１の取付位置は、図２に示すように、当該コーナー用取付金物１１の片側（この図示例ではナット１９が突出している側）の側板部１６ａに筋交い材６の端部一側面６ａを当接させたとき、当該筋交い材６の他側面６ｂが土台２や柱材４の同一側側面と略面一になるように設定している。従って、筋交い材６の前記一側面６ａには、コーナー用取付金物１１の側板部１６ａから突出しているナット１９などが遊嵌する位置に前以って凹部６ｃが加工されている。
【００１７】
筋交い材６の端部は、図３に示すように、矩形枠組み構造部１の内側に対角線方向に沿って配置したときに直角入り隅部９に面接触させることができる直角出隅部６ｄに前以って切削加工されており、更にこの直角出隅部６ｄから所定距離離れた一側面６ａに、取付部材１４の左右一対の取付板部２６ａ，２６ｂを、ボルト挿通孔２３の軸心方向が筋交い材６の長さ方向と平行になるように、取付用孔２５と釘やラグスクリュー２７などを利用して固着したならば、この筋交い材６を、その端部一側面６ａがコーナー用取付金物１１の側板部１６ａに当接し且つ直角出隅部６ｄが矩形枠組み構造部１の直角入り隅部９に当接するように配置し、前記取付部材１４のボルト挿通孔２３に直角出隅部６ｄの方に向かってボルト１３を挿通し、このボルト１３を接続金具１２のねじ孔（ナット２１）に螺合締結し、当該ボルト１３の頭部で取付部材１４を介して筋交い材６を矩形枠組み構造部１の直角入り隅部９に向かって長さ方向に押し込むように付勢することにより、当該筋交い材６の一端の取り付けが完了する。
【００１８】
尚、コーナー用取付金物１１、接続金具１２、及び取り付け部材１４の構成は、上記実施形態のものに限定されない。例えばコーナー用取付金物１１は、左右一対の側板部１６ａ，１６ｂの内、筋交い材６の端部側面に隣接する側の側板部１６ａのみを備えた構造のものでも良いし、各板部を形成する複数枚の板材を互いに溶接して構成されたものでっても良い。又、接続金具１２も、一端にボルト１３が螺合させるねじ孔を備えると共に他端にコーナー用取付金物１１への取付部を備えたものであれば如何なる構造のものでも良い。更に、取付部材１４のボルト挿通孔２３も、取付用基板側に溶接などで固着されるパイプ材で構成することも可能である。
【図面の簡単な説明】
【００１９】
【図１】Ａ図は木造建築物の壁を構成する矩形枠組み構造部を示す正面図、Ｂ図はＡ図の結合箇所Ｐ１の詳細を示す拡大正面図である。
【図２】図１ＢのＸ−Ｘ線矢視図である。
【図３】前記結合箇所Ｐ１の筋交い材取付直前の状態を示す拡大正面図である。
【図４】前記結合箇所Ｐ１に使用される部材の分解側面図である。
【図５】筋交い材に取り付けられる取付部材の正面図である。
【図６】図５のＹ−Ｙ線断面図である。
【符号の説明】
【００２０】
１    矩形枠組み構造部
２    木製土台
３    木製梁材
４，５    木製柱材
６    木製筋交い材
９，１０    矩形枠組み構造部の直角入り隅部
１１    コーナー用取付金物
１２    接続金具
１２ａ    接続金具の一端取付部
１３，１８    ボルト
１４    取付部材
１５    コーナー用取付金物のＬ字形板部
１６ａ，１６ｂ    コーナー用取付金物の側板部
１７，２７    ラグスクリュー
１９，２１    ナット
２０    筒状スペーサー
２３    取付部材のボルト挿通孔
２４    取付部材のＵ字形板部
２６ａ，２６ｂ    取付部材の左右一対の取付板部
【図１】
0004721420.tif 000002
【図２】
0004721420.tif 000003
【図３】
0004721420.tif 000004
【図４】
0004721420.tif 000005
【図５】
0004721420.tif 000006
【図６】
0004721420.tif 000007